(57)【特許請求の範囲】
【請求項１】
門形の入口枠と、
ゴールネットを支持する支持枠と、を備える球技用ゴールであって、
前記入口枠は、その後方に突出する連結軸部を具備しており、
前記支持枠は、前記連結軸部に接続される中空形材を具備しており、
前記中空形材の内周面は、内側平坦面と内側湾曲面とを交互に連ねた形状を呈しており、
前記連結軸部の外周面は、前記内側平坦面に対向する外側平坦面および前記内側湾曲面に対向する外側湾曲面のみからなり、
前記内側平坦面および前記外側平坦面は、いずれも平面からなり、
前記内側湾曲面および前記外側湾曲面は、いずれも曲面からなり、
前記中空形材は、前記連結軸部の外側に嵌められており、
前記内側平坦面および前記外側平坦面を貫通するボルトの軸部を、前記連結軸部に形成した雌ネジに螺着することによって、前記中空形材が前記連結軸部に固定される、ことを特徴とする球技用ゴール。
【請求項２】
門形の入口枠と、
ゴールネットを支持する支持枠と、を備える球技用ゴールであって、
前記支持枠は、複数の中空形材と、前記中空形材同士を連結するジョイント部材とを具備しており、
前記ジョイント部材は、前記中空形材に挿入される連結軸部を具備しており、
前記中空形材の内周面は、内側平坦面と内側湾曲面とを交互に連ねた形状を呈しており、
前記連結軸部の外周面は、前記内側平坦面に対向する外側平坦面および前記内側湾曲面に対向する外側湾曲面のみからなり、
前記内側平坦面および前記外側平坦面は、いずれも平面からなり、
前記内側湾曲面および前記外側湾曲面は、いずれも曲面からなり、
前記中空形材は、前記連結軸部の外側に嵌められており、
前記内側平坦面および前記外側平坦面を貫通するボルトの軸部を、前記連結軸部に形成した雌ネジに螺着することによって、前記中空形材が前記連結軸部に固定される、ことを特徴とする球技用ゴール。
【請求項３】
門形の入口枠と、
ゴールネットを支持する支持枠と、を備える球技用ゴールであって、
前記入口枠は、その後方に突出する連結軸部を具備しており、
前記支持枠は、前記連結軸部に接続される中空形材を具備しており、
前記中空形材の内面は、内側平坦面と、当該内側平坦面に繋がる内側湾曲面とを有し、
前記連結軸部の外面は、前記内側平坦面に対向する外側平坦面と、前記内側湾曲面に対向する外側湾曲面とを有し、
前記内側平坦面および前記外側平坦面は、いずれも平面からなり、
前記内側湾曲面および前記外側湾曲面は、いずれも曲面からなり、
前記内側平坦面および前記外側平坦面を貫通するボルトによって、前記中空形材が前記連結軸部に固定されており、
前記連結軸部は、前記内側平坦面に当接する肉盛部を有し、
前記肉盛部は、前記外側平坦面と前記外側湾曲面との境界に沿って形成されている、ことを特徴とする球技用ゴール。
【請求項４】
門形の入口枠と、
ゴールネットを支持する支持枠と、を備える球技用ゴールであって、
前記支持枠は、複数の中空形材と、前記中空形材同士を連結するジョイント部材とを具備しており、
前記ジョイント部材は、前記中空形材に挿入される連結軸部を具備しており、
前記中空形材の内面は、内側平坦面と、当該内側平坦面に繋がる内側湾曲面とを有し、
前記連結軸部の外面は、前記内側平坦面に対向する外側平坦面と、前記内側湾曲面に対向する外側湾曲面とを有し、
前記内側平坦面および前記外側平坦面は、いずれも平面からなり、
前記内側湾曲面および前記外側湾曲面は、いずれも曲面からなり、
前記内側平坦面および前記外側平坦面を貫通するボルトによって、前記中空形材が前記連結軸部に固定されており、
前記連結軸部は、前記内側平坦面に当接する肉盛部を有し、
前記肉盛部は、前記外側平坦面と前記外側湾曲面との境界に沿って形成されている、ことを特徴とする球技用ゴール。
【発明の詳細な説明】
【技術分野】
【０００１】
本発明は、球技用ゴールに関する。
【背景技術】
【０００２】
サッカーやハンドボールなどにおいて使用される球技用ゴールは、ゴールポストとクロスバーとで構成される門形の入口枠と、入口枠の後方に張設されるゴールネットと、ゴールネットを支持する支持枠と、を備えるものが一般的である（例えば、特許文献１，２参照。）。支持枠は、複数の中空形材を組み合わせて形成されていて、サイドフレームとなる中空形材は、入口枠に突設された連結軸部に接続される。
【先行技術文献】
【特許文献】
【０００３】
【特許文献１】特許第４０８４６９８号公報
【特許文献２】特開２００２−１２６１４５号公報
【発明の概要】
【発明が解決しようとする課題】
【０００４】
特許文献２の球技用ゴールでは、中空形材および連結軸部がいずれも円筒状を呈していて、中空形材の前端部は連結軸部の外側に嵌められている。このような接合形態を実現するためには、中空形材の内径を連結軸部の外径よりも僅かに大きくする必要があるが、このようにすると、中空形材が連結軸部を中心にして回転し易くなるため、ズレやがたつきの原因となる虞がある。とりわけ近年では、デザイン性や軽量化の観点から、中空形材の後端部を支持する部材を省略し、中空形材を「片持ち梁」にする場合があるが、このような場合には、前記したズレやがたつきの問題が顕著に現れるようになる。
【０００５】
このような観点から、本発明は、支持枠を構成する中空形材と入口枠との接続部分、あるいは、中空形材同士の接続部分にズレやがたつきが生じ難い球技用ゴールを提供することを課題とする。
【課題を解決するための手段】
【０００６】
前記課題を解決する第一の発明は、門形の入口枠と、ゴールネットを支持する支持枠と、を備える球技用ゴールであって、前記入口枠は、その後方に突出する連結軸部を具備しており、前記支持枠は、前記連結軸部に接続される中空形材を具備しており、前記中空形材の内周面は、内側平坦面と内側湾曲面とを交互に連ねた形状を呈しており、前記連結軸部の外周面は、前記内側平坦面に対向する外側平坦面および前記内側湾曲面に対向する外側湾曲面のみからなり、前記内側平坦面および前記外側平坦面は、いずれも平面からなり、前記内側湾曲面および前記外側湾曲面は、いずれも曲面からなり、前記中空形材は、前記連結軸部の外側に嵌められており、前記内側平坦面および前記外側平坦面を貫通するボルトの軸部を、前記連結軸部に形成した雌ネジに螺着することによって、前記中空形材が前記に固定される、ことを特徴とする。
【０００７】
第一の発明では、中空形材の内周および連結軸部の外周が、いずれも、平面と曲面とを組み合わせた非円形となっている。第一の発明によれば、ボルトを締結したときに、中空形材の内側平坦面と連結軸部の外側平坦面との接触面積が大きくなるため、両平坦面に高い摩擦圧接力を生じさせることができ、さらには、ボルト締結時の応力が両平坦面に集中するようになるので、中空形材の内側湾曲面と連結軸部の外側湾曲面とに変形が生じ難くなり、その結果、内側湾曲面と外側湾曲面との間に大きな空隙が発生するのを抑制することが可能となる。このように、第一の発明によれば、中空形材と連結軸部との間の隙間を抑制しつつ、高い摩擦圧接力を確保することができるので、中空形材と入口枠との接続部分にズレやがたつきが生じ難くなる。
【０００８】
前記課題を解決する第二の発明は、門形の入口枠と、ゴールネットを支持する支持枠と、を備える球技用ゴールであって、前記支持枠は、複数の中空形材と、前記中空形材同士を連結するジョイント部材とを具備しており、前記ジョイント部材は、前記中空形材に挿入される連結軸部を具備しており、前記中空形材の内周面は、内側平坦面と内側湾曲面とを交互に連ねた形状を呈しており、前記連結軸部の外周面は、前記内側平坦面に対向する外側平坦面および前記内側湾曲面に対向する外側湾曲面のみからなり、前記内側平坦面および前記外側平坦面は、いずれも平面からなり、前記内側湾曲面および前記外側湾曲面は、いずれも曲面からなり、前記中空形材は、前記連結軸部の外側に嵌められており、前記内側平坦面および前記外側平坦面を貫通するボルトの軸部を、前記連結軸部に形成した雌ネジに螺着することによって、前記中空形材が前記連結軸部に固定される、ことを特徴とする球技用ゴール。
【０００９】
第二の発明においても、中空形材の内周および連結軸部の外周が、いずれも、平面と曲面とを組み合わせた非円形となっている。第二の発明によれば、ボルトを締結したときに、中空形材の内側平坦面と連結軸部の外側平坦面との接触面積が大きくなるため、両平坦面に高い摩擦圧接力を生じさせることができ、さらには、ボルト締結時の応力が両平坦面に集中するようになるので、中空形材の内側湾曲面と連結軸部の外側湾曲面とに変形が生じ難くなり、その結果、内側湾曲面と外側湾曲面との間に大きな空隙が発生するのを抑制することが可能となる。このように、第二の発明によれば、中空形材と連結軸部との間の隙間を抑制しつつ、高い摩擦圧接力を確保することができるので、中空形材同士の接続部分にズレやがたつきが生じ難くなる。
【００１０】
前記課題を解決する第三の発明は、門形の入口枠と、ゴールネットを支持する支持枠と、を備える球技用ゴールであって、前記入口枠は、その後方に突出する連結軸部を具備しており、前記支持枠は、前記連結軸部に接続される中空形材を具備しており、前記中空形材の内面は、内側平坦面と、当該内側平坦面に繋がる内側湾曲面とを有し、前記連結軸部の外面は、前記内側平坦面に対向する外側平坦面と、前記内側湾曲面に対向する外側湾曲面とを有し、前記内側平坦面および前記外側平坦面は、いずれも平面からなり、前記内側湾曲面および前記外側湾曲面は、いずれも曲面からなり、前記内側平坦面および前記外側平坦面を貫通するボルトによって、前記中空形材が前記連結軸部に固定されており、前記連結軸部は、前記内側平坦面に当接する肉盛部を有し、前記肉盛部は、前記外側平坦面と前記外側湾曲面との境界に沿って形成されている、ことを特徴とする。
また、前記課題を解決する第四の発明は、門形の入口枠と、ゴールネットを支持する支持枠と、を備える球技用ゴールであって、前記支持枠は、複数の中空形材と、前記中空形材同士を連結するジョイント部材とを具備しており、前記ジョイント部材は、前記中空形材に挿入される連結軸部を具備しており、前記中空形材の内面は、内側平坦面と、当該内側平坦面に繋がる内側湾曲面とを有し、前記連結軸部の外面は、前記内側平坦面に対向する外側平坦面と、前記内側湾曲面に対向する外側湾曲面とを有し、前記内側平坦面および前記外側平坦面は、いずれも平面からなり、前記内側湾曲面および前記外側湾曲面は、いずれも曲面からなり、前記内側平坦面および前記外側平坦面を貫通するボルトによって、前記中空形材が前記連結軸部に固定されており、前記連結軸部は、前記内側平坦面に当接する肉盛部を有し、前記肉盛部は、前記外側平坦面と前記外側湾曲面との境界に沿って形成されている、ことを特徴とする。
このようにすると、ボルトを締め付けた際に肉盛部が変形し、その復元力によって、ボルトの緩み止め効果が発揮されるようになる。また、肉盛部を切削するだけで、連結軸部の外寸を調整することができるので、製作誤差等により連結軸部を中空形材に挿入できないような場合でも、容易に対応することができる。
【発明の効果】
【００１１】
本発明に係る球技用ゴールによれば、支持枠を構成する中空形材と入口枠との接続部分、あるいは、中空形材同士の接続部分にズレやがたつきが生じ難くなる。
【図面の簡単な説明】
【００１２】
【図１】本発明の実施形態に係る球技用ゴールの斜視図である。
【図２】入口枠と上サイドフレーム材（中空形材）との接続構造を示す分解斜視図である。
【図３】（ａ）は連結軸部の断面図、（ｂ）は中空形材の断面図である。
【図４】連結軸部を中空形材に挿入した状態を示す断面図である
【図５】支持枠の角部を示す分解斜視図である。
【図６】支持枠の角部を示す正面断面図である。
【図７】支持枠の直線部を示す分解斜視図である。
【図８】本発明の実施形態に係る球技用ゴールの変形例を示す図であって、（ａ）は連結軸部を中空形材に挿入した状態を示す部分拡大図、（ｂ）はボルト締結した状態を示す部分拡大図である。
【発明を実施するための形態】
【００１３】
本発明の実施形態に係る球技用ゴールＧは、図１に示すように、移動式のサッカー用ゴールであって、門形の入口枠Ａと、ゴールネットＮを支持する支持枠Ｂと、を備えている。
【００１４】
入口枠Ａは、ゴールポスト１と、クロスバー２と、コーナー部材３と、台座４とを備えている。支持枠Ｂは、上サイドフレーム材５Ａと、下サイドフレーム材５Ｂと、バックフレーム材５Ｃと、曲りジョイント６と、直ジョイント７とを備えている。
【００１５】
ゴールポスト１は、台座４上に立設される中空の柱材であり、本実施形態のものは、アルミニウム合金製の押出形材からなる。ゴールポスト１の上側の端部は、コーナー部材３に接続されており、ゴールポスト１の下側の端部は、台座４に接続されている。
【００１６】
クロスバー２は、ゴールラインと平行に配置される中空の梁材であり、本実施形態のものは、アルミニウム合金製の押出形材からなる。クロスバー２の端部は、コーナー部材３に接続されている。
【００１７】
コーナー部材３は、ゴールポスト１とクロスバー２とを連結する継手であり、本実施形態のものは、アルミニウム合金製の鋳造品からなる。コーナー部材３には、ゴールポスト１およびクロスバー２のほか、上サイドフレーム材５Ａが接続される。なお、図示は省略するが、複数のアルミニウム合金製押出形材を溶接してコーナー部材３を形成してもよい。
【００１８】
図２に示すように、本実施形態のコーナー部材３は、入口枠Ａの角部となる角構成部３１と、角構成部３１の後面３ｅに突設された連結軸部３２とを備えており、さらに、図示は省略するが、ゴールポスト１に挿入される縦スリーブと、クロスバー２に挿入される横スリーブとを備えている。
【００１９】
連結軸部３２は、筒状を呈する部位であり、入口枠Ａの角部から後方に向って突出している。連結軸部３２の外面（外周面）は、上下左右の外側平坦面３ａと、隣り合う外側平坦面３ａ，３ａを繋ぐ外側湾曲面３ｂとを備えている。すなわち、連結軸部３２の外面は、平面からなる外側平坦面３ａと曲面からなる外側湾曲面３ｂとを交互に連ねた形状（角丸四角形状）を呈している。外側平坦面３ａおよび外側湾曲面３ｂは、いずれも連結軸部３２の全長に亘って連続している。四箇所の外側平坦面３ａ，３ａ，…は、連結軸部３２の上下の水平面および左右の鉛直面を構成している。外側湾曲面３ｂは、円筒面（円弧面である。
【００２０】
連結軸部３２には、雌ネジ３ｃが形成されている。雌ネジ３ｃには、ボルト８の軸部が螺着される。図３の（ａ）にも示すように、雌ネジ３ｃは、四つの外側平坦面３ａ，３ａ，…のうち、下側の外側平坦面３ａ（連結軸部３２下側の水平面を構成する外側平坦面３ａ）と、クロスバー２側の外側平坦面３ａ（クロスバー２側の鉛直面を構成する外側平坦面３ａ）とに形成されている。なお、一つの外側平坦面３ａにつき二つの雌ねじ３ｃ，３ｃを形成しているが、雌ねじ３ｃの数を限定する趣旨ではない。また、本実施形態の雌ネジ３ｃは、連結軸部３２の外皮と、外皮の内側に突設されたボス３ｄとを貫通するものであるが、有底のものであっても差し支えない。
【００２１】
図１に示す台座４は、ゴールライン上に設置されるものであり、本実施形態のものは、アルミニウム合金製の鋳造品からなる。台座４には、ゴールポスト１および下サイドフレーム材５Ｂが接続される。なお、図示は省略するが、台座４も、コーナー部材３と同様の縦スリーブおよび連結軸部を備えている。また、図示は省略するが、複数のアルミニウム合金製押出形材を溶接して台座４を形成してもよい。
【００２２】
上サイドフレーム材５Ａは、入口枠Ａの角部から後方に向って延出する棒状要素である。上サイドフレーム材５Ａの前側の端部は、コーナー部材３に接続されている。本実施形態の上サイドフレーム材５Ａは、いわゆる片持ち梁であり、前側の端部のみが支持されている。なお、図示は省略するが、上サイドフレーム材５Ａと下サイドフレーム材５Ｂの後端部同士を繋ぐフレーム材を設け、上サイドフレーム材５Ａを両持ち支持としてもよい。
【００２３】
図２に示すように、上サイドフレーム材５Ａは、アルミニウム合金製の中空形材からなり、入口枠Ａの連結軸部３２に外嵌される（図４参照）。なお、中空形材は、押出成形されたものである。図３の（ｂ）にも示すように、上サイドフレーム材５Ａ（中空形材）の外皮は、上下左右の平板部５１と、隣り合う平板部５１，５１に繋がる曲板部５２とを備えている。平板部５１は、曲板部５２よりも肉厚で、内外面ともに平坦面（平面）になっている。曲板部５２は、内外面ともに円筒面（円弧面）になっている。
【００２４】
上サイドフレーム材５Ａの内面（内周面）は、内側平坦面５ａと、内側平坦面５ａに繋がる内側湾曲面５ｂとを備えていて、連結軸部３２の外面に対応する形状（角丸四角形状）に成形されている。すなわち、図４に示すように、平板部５１の内面である内側平坦面５ａは、連結軸部３２の外側平坦面３ａに対応して平面に成形されており、曲板部５２の内面である内側湾曲面５ｂは、連結軸部３２の外側湾曲面３ｂに対応して曲面に成形されている。
【００２５】
図２に示すように、上サイドフレーム材５Ａには、貫通孔５ｃが形成されている。貫通孔５ｃには、ボルト８の軸部が挿通される。貫通孔５ｃは、四つの平板部５１，５１，…のうち、下側の平板部５１（下側の水平面部を構成する平板部５１）と、クロスバー２側の平板部５１（クロスバー２側の鉛直面部を構成する平板部５１）とに形成されている（図３の（ｂ）参照）。すなわち、貫通孔５ｃは、連結軸部３２の雌ネジ３ｃに対応する位置に形成されていて、上サイドフレーム材５Ａの前端面をコーナー部材３の後面３ｅに突き当てたときに雌ネジ３ｃと連通する。
【００２６】
図４に示すように、上サイドフレーム材５Ａの前端部は、連結軸部３２の外側に嵌められ、内側平坦面５ａおよび外側平坦面３ａを貫通するボルト８によって、連結軸部３２に固定される。なお、連結軸部３２を上サイドフレーム材５Ａに挿入すると、外側平坦面３ａが内側平坦面５ａに対向し、外側湾曲面３ｂが内側湾曲面５ｂに対向する。図面には現れていないが、連結軸部３２を上サイドフレーム材５Ａに挿入できるよう、連結軸部３２の外面と上サイドフレーム材５Ａの内面との間には、僅かなクリアランスが存在する。なお、ボルト締結時においては、上サイドフレーム材５Ａの内側平坦面５ａと連結軸部３２の外側平坦面３ａとが面接触するようになる。
【００２７】
図１に示す下サイドフレーム材５Ｂは、入口枠Ａの下端部から後方に向って延出する棒状要素であり、地面上に配置される。下サイドフレーム材５Ｂの前側の端部は、台座４に接続されており、下サイドフレーム材５Ｂの後側の端部は、曲りジョイント６に接続されている。
【００２８】
バックフレーム材５Ｃは、クロスバー２と平行に配置される棒状要素であり、地面上に配置される。バックフレーム材５Ｃの一方の端部は、曲りジョイント６に接続されており、バックフレーム材５Ｃの他方の端部は、直ジョイント７に接続されている。
【００２９】
図５に示すように、下サイドフレーム材５Ｂおよびバックフレーム材５Ｃは、いずれも、アルミニウム合金製の中空形材からなる。下サイドフレーム材５Ｂおよびバックフレーム材５Ｃの断面形状は、上サイドフレーム材５Ａと同一の断面形状である。なお、下サイドフレーム材５Ｂの貫通孔（図示略）は、バックフレーム材５Ｃ側の鉛直面部を構成する平板部５１に形成されており、バックフレーム材５Ｃの貫通孔５ｃ，５ｃは、前側の鉛直面部を構成する平板部５１に形成されている。
【００３０】
曲りジョイント６は、下サイドフレーム材５Ｂとバックフレーム材５Ｃとを連結するものであり、本実施形態のものは、アルミニウム合金製の鋳造品からなる。なお、図示は省略するが、複数のアルミニウム合金製押出形材を溶接して曲りジョイント６を形成してもよい。
【００３１】
本実施形態の曲りジョイント６は、支持枠Ｂの角部となる円弧状の曲り部６１と、曲り部６１の両端面に突設された連結軸部６２，６２とを備えている。一方の連結軸部６２は、曲り部６１の前端面から前方に向って突出していて、下サイドフレーム材５Ｂに挿入される。他方の連結軸部６２は、曲り部６１の側端面から側方に向って突出していて、バックフレーム材５Ｃに挿入される。
【００３２】
連結軸部６２は、筒状を呈している。連結軸部６２の外面は、上下左右の外側平坦面６ａと、隣り合う外側平坦面６ａ，６ａを繋ぐ外側湾曲面６ｂとを備えている。すなわち、連結軸部６２の外面は、入口枠Ａの連結軸部３２（図２参照）と同様の形状（角丸四角形状）を呈している。
【００３３】
連結軸部６２には、雌ネジ６ｃが形成されている。雌ネジ６ｃには、ボルト８の軸部が螺着される。雌ネジ６ｃは、中空形材（下サイドフレーム材５Ａまたはバックフレーム材５Ｃ）の貫通孔５ｃに対応する位置に形成されていて、中空形材の端面を曲り部６１の端面に突き当てたときに貫通孔５ｃと連通する。
【００３４】
図６に示すように、下サイドフレーム材５Ｂは、一方の連結軸部６２の外側に嵌められ、内側平坦面５ａおよび外側平坦面６ａを貫通するボルト８によって、一方の連結軸部６２に固定される。一方の連結軸部６２を下サイドフレーム材５Ｂに挿入すると、外側平坦面６ａが内側平坦面５ａに対向し、外側湾曲面６ｂが内側湾曲面５ｂに対向する。図面には現れていないが、連結軸部６２を下サイドフレーム材５Ｂに挿入できるよう、連結軸部６２の外面と下サイドフレーム材５Ｂの内面との間には、僅かなクリアランスが存在する。なお、ボルト締結時においては、下サイドフレーム材５Ｂの内側平坦面５ａと連結軸部６２の外側平坦面６ａとが面接触するようになる。
【００３５】
また、バックサイドフレーム材５Ｃは、他方の連結軸部６２の外側に嵌められ、内側平坦面５ａおよび外側平坦面６ａ（図５参照）を貫通するボルト８によって、他方の連結軸部６２に固定される。
【００３６】
図７に示すように、直ジョイント７は、バックフレーム材５Ｃ，５Ｃを直線状に連結するものであり、本実施形態のものは、アルミニウム合金製の押出形材からなる。なお、直ジョイント７をアルミニウム合金製の鋳造品としてもよい。
【００３７】
本実施形態の直ジョイント７は、連結軸部７１のみからなる。連結軸部７１の右半分が、右側のバックフレーム材５Ｃに挿入され、連結軸部７１の左半分が左側のバックフレーム材５Ｃに挿入される。
【００３８】
連結軸部７１の外面は、上下左右の外側平坦面７ａと、隣り合う外側平坦面７ａ，７ａを繋ぐ外側湾曲面７ｂとを備えている。すなわち、連結軸部７１の外面は、入口枠Ａの連結軸部３２（図２参照）と同様の形状（角丸四角形状）を呈している。
【００３９】
連結軸部７１には、雌ネジ７ｃが形成されている。雌ネジ７ｃには、ボルト８の軸部が螺着される。雌ネジ７ｃは、バックフレーム材５Ｃの貫通孔５ｃに対応する位置に形成されていて、連結軸部７１の中央においてバックフレーム材５Ｃ，５Ｃを突き合わせたときに貫通孔５ｃと連通する。
【００４０】
なお、バックフレーム材５Ｃは、連結軸部７１の外側に嵌められ、内側平坦面５ａおよび外側平坦面７ａを貫通するボルト８によって、連結軸部７１に固定される。図示は省略するが、連結軸部７１をバックフレーム材５Ｃに挿入すると、外側平坦面７ａが内側平坦面５ａに対向し、外側湾曲面７ｂが内側湾曲面５ｂに対向する。
【００４１】
以上のような構成の球技用ゴールＧによれば、中空形材（上サイドフレーム材５Ａ，下サイドフレーム材５Ｂおよびバックフレーム材５Ｃ）の内周および連結軸部３２，６２，７１の外周が平面と曲面とを組み合わせた非円形となるため、中空形材の回転を抑制することが可能となる。また、ボルト８を締結したときには、中空形材の内側平坦面５ａと連結軸部３２，６２，７１の外側平坦面３ａ，６ａ，７ａとの接触面積が大きくなるため、平坦面間に高い摩擦圧接力を生じさせることができ、さらには、ボルト締結時の応力が内側平坦面５ａや外側平坦面３ａ，６ａ，７ａに集中するようになるので、内側湾曲面５ｂおよび外側湾曲面３ｂ，６ｂ，７ｂに変形が生じ難くなり、その結果、内側湾曲面５ｂと外側湾曲面３ｂ，６ｂ，７ｂとの間に大きな空隙が発生するのを抑制することが可能となる。このように、球技用ゴールＧによれば、中空形材と連結軸部３２，６２，７１との間の隙間を抑制しつつ、高い摩擦圧接力を確保することができるので、中空形材と入口枠Ａとの接続部分や中空形材同士の接続部分にズレやがたつきが生じ難くなる。また、本実施形態では、中空形材の平板部５１の外面も平面に成形したので、ボルト８の頭部の座りが良い。
【００４２】
なお、本実施形態では、ボルト８の締結位置において、中空形材の内側平坦面と連結軸部の外側平坦面とが面接触する場合を例示したが、図８の（ａ）に示すように、内側平坦面と外側平坦面との間に隙間が形成されるように構成してもよい。
【００４３】
図８の（ａ）に示す連結軸部３２は、入口枠の角部の後面に突設されたものであり、筒状を呈している。連結軸部３２の外面は、外側平坦面３ａと、外側平坦面３ａに繋がる外側湾曲面３ｂと、外側平坦面３ａと外側湾曲面３ｂとの境界に沿って形成された肉盛部３ｆと、を備えている。
【００４４】
肉盛部３ｆは、外側平坦面３ａおよび外側湾曲面３ｂの外周側に膨出していて、肉盛部３ｆ，３ｆ，…の頂部を通る外接円の直径は、外側湾曲面３ｂ，３ｂ，…を通る円の直径よりも大きくなっている。
【００４５】
上サイドフレーム材５Ａを連結軸部３２に外嵌した後、ボルト８を雌ネジ３ｃに螺合していくと、ボルト８を挟んで対向する肉盛部３ｆ，３ｆが内側平坦面５ａに当接するようになり、さらにボルト８を締め付けると、ボルト８の両側の肉盛部３ｆ，３ｆが圧縮変形し、その復元力によって、ボルト８の緩み止め効果が発揮されるようになる。図８の（ｂ）に示すように、平板部５１は、ボルト８の締付力によって内側に凸となるように湾曲し、外側平坦面３ａに密着するようになる。
【００４６】
なお、製作誤差等により連結軸部３２を上サイドフレーム材５Ａに挿入できないような場合には、少なくとも一つの肉盛部３ｆを切削すればよい。このようにすると、連結軸部３２の本体部分の肉厚を減少させることなく、連結軸部３２の外寸を調整することができる。
【００４７】
なお、本実施形態では、連結軸部３２，６２，７１の外面および中空形材の内面を、四つの平面と四つの曲面とを組み合わせた角丸四角形状に形成した場合を例示したが、連結軸部および中空形材の形状を限定する趣旨ではない。図示は省略するが、中空形材の内側平坦面および連結軸部の外側平坦面は、少なくともボルト締結の位置に対応して形成すればよい。
【符号の説明】
【００４８】
Ｇ    球技用ゴール  
Ａ    入口枠
Ｂ    支持枠
Ｎ    ゴールネット
１    ゴールポスト
２    クロスバー
３    コーナー部材
３２  連結軸部
３ａ  外側平坦面
３ｂ  外側湾曲面
３ｃ  雌ネジ
３ｆ  肉盛部
４    台座
５Ａ  上サイドフレーム材（中空形材）
５Ｂ  下サイドフレーム材（中空形材）
５Ｃ  バックフレーム材（中空形材）
５１  平板部
５２  曲板部
５ａ  内側平坦面
５ｂ  内側湾曲面
５ｃ  貫通孔
６    曲りジョイント（ジョイント部材）
６１  曲り部
６２  連結軸部
６ａ  外側平坦面
６ｂ  外側湾曲面
６ｃ  雌ネジ
７    直ジョイント（ジョイント部材）
７１  連結軸部
７ａ  外側平坦面
７ｂ  外側湾曲面
７ｃ  雌ネジ
８    ボルト
【図１】
0005512361.tif 000002
【図２】
0005512361.tif 000003
【図３】
0005512361.tif 000004
【図４】
0005512361.tif 000005
【図５】
0005512361.tif 000006
【図６】
0005512361.tif 000007
【図７】
0005512361.tif 000008
【図８】
0005512361.tif 000009